(57)【要約】【課題】鍋等の調理容器の材質によらず、自動で煮込み調理ができる加熱調理器を提供する。【解決手段】調理容器の材質が異なっても、加熱される調理容器の検出温度が、平衡状態となる平衡温度では、調理容器内の加熱対象物の温度が略同じ温度となることに着目し、煮込み調理モードが設定されると、平衡温度Ｔαを検出した後は、調理容器の検出温度が、平衡温度Ｔαよりも低い第１設定温度Ｔ１まで上昇すると、加熱手段の加熱力を弱めの加熱力に、第１設定温度Ｔ１よりも低い第２設定温度Ｔ２まで下降すると、加熱手段の加熱力を強めの加熱力に切替え制御し、調理容器の温度を、平衡温度より低い第１，第２設定温度に基づく温度範囲に制御している。【選択図】図５
2014105961.tif 000002
【特許請求の範囲】
【請求項１】
調理容器を加熱する加熱手段と、前記調理容器の温度を検出する温度検出手段と、前記温度検出手段によって検出される検出温度に基づいて、前記加熱手段を制御する制御手段とを備える加熱調理器であって、
煮込み調理モードが設定される調理モード設定手段を備え、
前記制御手段は、前記煮込み調理モードが設定されると、前記検出温度が平衡状態となる平衡温度を検出した後は、前記検出温度が、前記平衡温度よりも低い第２設定温度まで下降すると、前記加熱手段の加熱力を強めの加熱力に、前記検出温度が、前記平衡温度よりも低く、かつ、前記第２の設定温度よりも高い第１設定温度まで上昇すると、前記加熱手段の加熱力を弱めの加熱力に、切替え制御する、
ことを特徴とする加熱調理器。
【請求項２】
前記温度検出手段は、前記調理容器の底部の温度を検出するものであり、
前記制御手段は、前記平衡温度を検出する迄は、前記加熱手段の加熱力を、第１の加熱力に制御する一方、前記平衡温度を検出した後は、前記第１の加熱力よりも弱い第２の加熱力に切替え、前記検出温度が、前記第２設定温度まで下降すると、前記第２の加熱力よりも強く、かつ前記第１の加熱力と同じか弱い第３の加熱力に切替え、前記検出温度が、前記第１設定温度まで上昇すると、前記第２の加熱力に切替え、以後は、前記検出温度が、第２設定温度まで下降、又は、第１設定温度まで上昇する度に、前記第３の加熱力、又は、第２の加熱力に切換え制御する、
請求項１に記載の加熱調理器。
【請求項３】
前記調理モード設定手段は、前記煮込み調理モードによる調理時間が設定されるタイマ設定部を有し、
前記制御手段は、前記タイマ設定部に設定される調理時間を計測するタイマ計測部を有すると共に、前記検出温度に基づいて、前記調理容器内の加熱対象物が沸騰状態となる沸騰温度を検出した時点で、前記タイマ計測部による前記調理時間の計測を開始する、
請求項１または２に記載の加熱調理器。
【請求項４】
前記調理モード設定手段は、前記第１，第２設定温度を変更設定する変更設定部を有する、
請求項１ないし３のいずれかに記載の加熱調理器。
【請求項５】
前記制御手段は、前記煮込み調理モードが設定されて、前記平衡温度を検出した後に、前記加熱手段による加熱が継続されているにも拘らず、前記検出温度が、前記第２設定温度よりも低い所定温度まで下降したときには、前記平衡温度を再検出して、前記第１，第２設定温度を再設定する、
請求項１ないし４のいずれかに記載の加熱調理器。
【発明の詳細な説明】
【技術分野】
【０００１】
本発明は、加熱調理器に関し、更に詳しくは、煮込み調理に好適な加熱調理器に関する。
【背景技術】
【０００２】
従来から、鍋等の調理容器に入れた調理物の過熱による焦げ付きや発火を防止するために、調理容器の温度を温度センサにより検出し、検出温度に基づいて加熱手段による加熱を自動的に停止させたり、あるいは、調理容器の検出温度に基づいて、調理物の沸騰状態を検出すると共に、加熱手段による加熱量と調理物及び調理容器の放熱量とが平衡する平衡状態を検出し、それらに基づいて、水調理物と油調理物とを判別し、水調理物の焦げ付きを防止するようにした加熱調理器も提案されている（例えば、特許文献１参照）。
【先行技術文献】
【特許文献】
【０００３】
【特許文献１】特開平６−１２９６４４号公報
【発明の概要】
【発明が解決しようとする課題】
【０００４】
煮込み調理、例えば「おでん」や「肉じゃが」等の煮込み調理では、調理容器である鍋の材質や調理する材料等によって、煮汁が沸騰するまでに必要な熱量は相違するために、火力と加熱時間、すなわち、加熱量を一概に固定することはできない。
【０００５】
このため、従来の加熱調理器では、上述のように調理物の過熱による焦げ付きや発火を防止する機能は備えているものの、煮込み調理を行う場合には、使用者が傍らで監視しながら、調理容器内の調理物の煮汁が沸騰するまでは強めの火力で加熱し、沸騰すると、吹き零れないように、火力を手動で調節しながら調理物を煮込む必要がある。
【０００６】
このように従来の加熱調理器では、煮込み調理の場合には、使用者が、吹き零れないように傍らで監視しながら、手動で火力を調節しなければならず、手間がかかり、また、使用者の経験または勘によって火力を調節するために、適切な火力が得にくいという欠点がある。
【０００７】
本発明は、このような実情に着目してなされたものであって、調理容器の材質によらず、自動で煮込み調理ができる加熱調理器を提供することを目的とする。
【課題を解決するための手段】
【０００８】
上記目的を達成するために、本発明では次のように構成している。
【０００９】
（１）本発明は、調理容器を加熱する加熱手段と、前記調理容器の温度を検出する温度検出手段と、前記温度検出手段によって検出される検出温度に基づいて、前記加熱手段を制御する制御手段とを備える加熱調理器であって、煮込み調理モードが設定される調理モード設定手段を備え、前記制御手段は、前記煮込み調理モードが設定されると、前記検出温度が平衡状態となる平衡温度を検出した後は、前記検出温度が、前記平衡温度よりも低い第２設定温度まで下降すると、前記加熱手段の加熱力を強めの加熱力に、前記検出温度が、前記平衡温度よりも低く、かつ、前記第２の設定温度よりも高い第１設定温度まで上昇すると、前記加熱手段の加熱力を弱めの加熱力に、切替え制御する。
【００１０】
本発明では、調理容器の材質が異なっても、加熱される調理容器の検出温度が、平衡状態となる平衡温度では、調理容器内の加熱対象物の温度が略同じ温度となることに着目し、煮込み調理モードが設定されると、平衡温度を検出した後は、調理容器の検出温度が、平衡温度よりも低い第２設定温度まで下降すると、加熱手段の加熱力を強めの加熱力に、平衡温度よりも低く、かつ、第２設定温度よりも高い第１設定温度まで上昇すると、加熱手段の加熱力を弱めの加熱力に、切替え制御するので、調理容器の温度は、平衡温度より低い第１，第２設定温度に基づく温度範囲に制御されることになる。
【００１１】
これによって、調理容器内の加熱対象物が吹き零れることなく、軽い沸騰状態を維持しながら加熱することができ、従来のように、使用者が吹き零れないように監視しながら加熱力を手動で調節する必要がなく、煮込み調理を自動で行うことができる。
【００１２】
（２）本発明の好ましい実施態様では、前記温度検出手段は、前記調理容器の底部の温度を検出するものであり、前記制御手段は、前記平衡温度を検出する迄は、前記加熱手段の加熱力を、第１の加熱力に制御する一方、前記平衡温度を検出した後は、前記第１の加熱力よりも弱い第２の加熱力に切替え、前記検出温度が、前記第２設定温度まで下降すると、前記第２の加熱力よりも強く、かつ前記第１の加熱力と同じか弱い第３の加熱力に切替え、前記検出温度が、前記第１設定温度まで上昇すると、前記第２の加熱力に切替え、以後は、前記検出温度が、第２設定温度まで下降、又は、第１設定温度まで上昇する度に、前記第３の加熱力、又は、第２の加熱力に切換え制御する。
【００１３】
この実施態様によると、平衡温度が検出された後は、加熱手段による加熱力が、第２の加熱力と第３の加熱力とに切替え制御されて、調理容器の底部の検出温度が、平衡温度よりも低い第１，第２設定温度に基づく温度範囲に制御されることになり、調理容器内の加熱対象物が吹き零れることなく、軽い沸騰状態を維持しながら加熱することができる。
【００１４】
（３）本発明の他の実施態様では、前記調理モード設定手段は、前記煮込み調理モードによる調理時間が設定されるタイマ設定部を有し、前記制御手段は、前記タイマ設定部に設定される調理時間を計測するタイマ計測部を有すると共に、前記検出温度に基づいて、前記調理容器内の加熱対象物が沸騰状態となる沸騰温度を検出した時点で、前記タイマ計測部による前記調理時間の計測を開始する。
【００１５】
この実施態様によると、煮込み調理モードの調理時間をタイマ設定部で設定すると、実質的に煮込みが開始される時点である、調理容器内の加熱対象物が沸騰状態となる沸騰温度の検出時点を起点としてタイマ計測を開始することができる。
【００１６】
（４）本発明の他の実施態様では、前記調理モード設定手段は、前記第１，第２設定温度を変更設定する変更設定部を有する。
【００１７】
この実施態様によると、変更設定部によって、第１，第２設定温度を変更設定できるので、例えば、煮込み調理の種類や調理容器内の加熱対象物の量の多少に応じて第１，第２設定温度を変更設定し、これによって、調理容器の検出温度を、第１，第２設定温度に基づく適切な温度範囲に制御することができる。
【００１８】
（５）本発明の更に他の実施態様では、前記制御手段は、前記煮込み調理モードが設定されて、前記平衡温度を検出した後に、前記加熱手段による加熱が継続されているにも拘らず、前記検出温度が、前記第２設定温度よりも低い所定温度まで下降したときには、前記平衡温度を再検出して、前記第１，第２設定温度を再設定する。
【００１９】
煮込み調理モードの途中で、調理容器へ加熱対象物を追加投入したような場合には、調理容器の検出温度が下降するが、この実施態様によると、加熱対象物が多量に追加投入されて、調理容器の検出温度が、前記第２設定温度よりも低い所定温度まで下降したときには、平衡温度を再検出して第１，第２設定温度が再設定されるので、調理容器の温度が、加熱対象物の追加投入に応じて再設定された第１，第２設定温度に基づく適切な温度範囲に制御されることになる。
【発明の効果】
【００２０】
このように、本発明によれば、煮込み調理モードが設定されると、平衡温度を検出し、調理容器の検出温度が、この平衡温度よりも低い第１，第２設定温度に基づく温度範囲に制御されるので、調理容器の材質によらず、加熱対象物が、調理容器から吹き零れることなく、軽く沸騰状態を維持するように加熱することができ、従来のように、使用者が吹き零れしないように監視しながら加熱力を手動で調節する必要がなく、煮込み調理を自動で行うことができる。
【図面の簡単な説明】
【００２１】
【図１】本発明の一実施形態に係る加熱調理器の斜視図である。
【図２】図１の加熱調理器の燃料供給路の説明図である。
【図３】ガスコンロ用調理設定入力部の正面図である。
【図４】材質の異なる鍋を加熱した場合の各鍋の温度変化及び各鍋内の水温の変化を示す図である。
【図５】本発明の一実施形態の加熱調理器による煮込み調理モードの火力及び鍋の温度変化を示す図である。
【図６】煮込み調理モードの途中で加熱対象物を追加投入した場合の図５に対応する図である。
【図７】煮込み調理モードの途中で加熱対象物を追加投入した場合の他の例を示す図５に対応する図である。
【発明を実施するための形態】
【００２２】
以下、本発明の実施形態について図面を参照しながら説明する。
【００２３】
この実施形態では、加熱調理器として、グリル付きガスコンロに適用して説明する。
【００２４】
この実施形態のグリル付きガスコンロＡは、図１に示すように、コンロ本体１の上部に、最大火力の異なるコンロバーナからなる３つのガスコンロ部２ａ〜２ｃを備え、コンロ本体１の左右中央には、グリルバーナ（図示せず）を内装すると共に、グリル扉３ａを前方に備えるグリル皿（図示せず）を前面から出し入れ可能に装着したグリル３を備えている。
【００２５】
このグリル付きガスコンロＡは、図示しないキッチンキャビネットに落とし込み装着されるビルトインタイプである。
【００２６】
コンロ本体１の上部は、天板４で覆われると共に、コンロ奥端の上面にグリル３の燃焼排ガスを排出するためのグリル排気口５が設けられている。
【００２７】
この実施形態では、天板４の手前側の左右に配設したガスコンロ部２ａ，２ｂの一方（左側）が、標準火力のガスコンロ部２ａとなっており、他方(右側)が、高火力のガスコンロ部２ｂとなっている。また、奥側の中央部に配設したガスコンロ部２ｃが、小火力のガスコンロ部２ｃとなっている。各ガスコンロ部２ａ〜２ｃには、調理容器、例えば鍋の底部の温度を検出するサーミスタからなる温度センサ７ａ〜７ｃがそれぞれ装備されていると共に、対応する五徳６ａ〜６ｃがそれぞれ載置されている。
【００２８】
各ガスコンロ部２ａ〜２ｃには、図示していないが、コンロバーナに点火する点火装置としての点火プラグと、コンロバーナの着火を検出する着火検出装置としての熱電対とが設けられ、グリル３にも同様に、グリルバーナに点火する点火装置としての点火プラグと、グリルバーナの着火を検出する着火検出装置としての熱電対が設けられる。点火プラグは、後述する加熱状態調節部１２ａ〜１２ｃにおける点火操作によってマイクロコンピュータからなる制御部１１（図２参照）により点火動作が行われ、熱電対において検出された着火（点火）情報は制御部１１に認識されて、制御部１１により点火プラグでの点火処理を終了する。
【００２９】
各コンロバーナ及びグリルバーナには、図２に示すように、都市ガス等のガス燃料を供給する燃料供給路８からそれぞれ分岐する分岐供給路８ａが接続されている。なお、この図２では、ガスコンロ部２ａのコンロバーナのみを代表的に示している。燃料供給路８には、電磁弁９が設けられると共に、各分岐供給路８ａには、ガス燃料の供給量の調節を行うためステッピングモータにより駆動されて弁体の開度位置の微調整が可能な流量制御弁１０と、前記弁体の開度位置を検出する位置センサ（図示せず）が設けられている。電磁弁９及び流量制御弁１０は、制御部１１によって制御され、位置センサにおける検出情報は、制御部１１によって認識・処理される。また、流量制御弁１０は、対応するコンロバーナ又はグリルバーナが使用されない時には、流量を零にして遮断状態となるように切り換えられる。
【００３０】
図１に示すように、コンロ本体１の前面の左右上部には、各ガスコンロ部２ａ〜２ｃのコンロバーナの点火、消火、火力調節の操作をそれぞれ行うための３つの加熱状態調節部１２ａ〜１２ｃが設けられている。この実施形態では、前面の左側に、標準火力のガスコンロ部２ａの加熱状態調節部１２ａを配設し、前面の右側に、高火力のガスコンロ部２ｂの加熱状態調節部１２ｂ及び小火力のガスコンロ部２ｃの加熱状態調節部１２ｃを配設している。
【００３１】
また、前面の右側上部には、制御部１１をはじめ電磁弁９や流量制御弁１０、入力部や加熱状態調節部１２ａ〜１２ｃ等の各部への通電の入切を行う自動復帰型で押し釦式の電源スイッチ１３が設けられている。
【００３２】
上記各加熱状態調節部１２ａ〜１２ｃは、前後方向に移動自在な押釦により構成され、ガスコンロ部２ａ〜２ｃの使用に当たっては、押釦よりなる加熱状態調節部１２ａ〜１２ｃを押圧して点火操作をすることで、後退していた加熱状態調節部１２ａ〜１２ｃが前方に突出して器具栓がＯＮとなり、流出するガス燃料にスパーク放電がなされてガスコンロ部２ａ〜２ｃのコンロバーナに点火される。
【００３３】
この押釦よりなる加熱状態調節部１２ａ〜１２ｃが前方に突出した状態で加熱状態調節部１２ａ〜１２ｃを指で摘んで回動操作すると、前記回動角度がロータリーエンコーダにより検出されて制御部１１に認識され、前記回動角度に応じた開度位置となるようにステッピングモータにより流量制御弁１０の弁体が駆動されてガス流量が制御されて、ガスコンロ部２ａ〜２ｃの火力が、「１」〜「５」の５段階で制御できるようになっている。一方、消火にあたっては、前方に突出している加熱状態調節部１２ａ〜１２ｃを後方に押圧操作することで器具栓がＯＦＦとなってガスコンロ部２ａ〜２ｃのコンロバーナが消火される。
【００３４】
コンロ本体１の前面の左右の下部には、操作パネル１４，１５が収納自在に設けられている。右側の操作パネル１５には、グリル３に関する操作を行うためのグリル用調理設定入力部１６が設けられ、この操作パネル１５がグリル側操作パネルとなり、左側の操作パネル１４には、標準火力のガスコンロ部２ａによる調理設定の入力を行うためのガスコンロ用調理設定入力部1７が設けられ、この操作パネル１４がコンロ側操作パネルとなっている。
【００３５】
図３には、ガスコンロ用調理設定入力部１７を示している。標準火力のガスコンロ部２ａによる調理設定の入力を行うためのガスコンロ用調理設定入力部１７は、ガスコンロ部２ａによる調理時間を設定するためのタイマースイッチ１８、揚げ物、炊飯、湯沸し、煮込みの自動調理のメニューをそれぞれ設定するための各メニュースイッチ１９〜２２、及び、前記各スイッチ１８〜２２を操作して設定した各入力を取り消すための取消しスイッチ２３等を備えている。
【００３６】
タイマ設定部としてのタイマースイッチ１８の「＋」スイッチ１８ａ，「−」スイッチ１８ｂを押すことにより、１分単位で１分〜１２０分迄のタイマ時間を設定することができ、設定されるタイマ時間が、表示部１８ｃに表示される。タイマ時間が設定されない場合は、初期設定値として、６０分が表示される。また、設定された調理モードの実行中は、表示部１８ｃには、残り時間が１分となるまでは１分の時間経過と共にデクリメントされた分単位の残時間が、表示され、残り時間が１分未満になると、残り時間が３０秒なるまでは、「１分」の値が表示され、残り時間が３０秒以下になると、ブザーで報知すると共に、１秒単位で１秒の時間経過と共にデクリメントされた秒単位の残時間が、表示され、残り時間が０になると「０」が１０回点滅し、ガスコンロ部２ａが消火し、設定された調理モードは終了する。
【００３７】
なお、タイマ時間が設定された調理モードの実行中に、タイマースイッチ１８の「＋」スイッチ１８ａ又は「−」スイッチ１８ｂを押すことにより、タイマ時間の設定の変更ができ、設定可能な最大時間は１２０分迄であり、ガスコンロ部２ａの連続使用可能時間は１２０分迄としている。
【００３８】
上記自動調理のメニュースイッチ１９〜２２の内、揚げ物用のメニュースイッチ１９を押すことで揚げものを自動調理で行う揚げ物モードとすることができ、この揚げ物用のメニュースイッチ１９を何回押すかによって、２００℃、１８０℃、１６０℃といった複数種類の揚げ物の調理の中から目的とする温度の揚げ物調理を設定することができる。また、炊飯用のメニュースイッチ２０を押すことで炊飯を自動調理で行う炊飯モードとすることができ、この炊飯用のメニュースイッチ２０を何回押すかによって、ご飯、おかゆといった複数種類の炊飯の調理の中から目的とする炊飯の調理を設定することができる。また、湯沸し用のメニュースイッチ２１を押すことで湯沸しを自動調理で行う湯沸しモードとすることができ、この湯沸し用のメニュースイッチ２１を何回押すかによって、自動消火、５分保温といった湯沸し後にすぐ消火するか、あるいは一定時間保温するかといった湯沸しを選択して設定することができる。
【００３９】
更に、この実施形態では、煮込み用のメニュースイッチ２２を押すことで煮込みを自動調理で行う煮込み調理モードとすることができ、この煮込み用のメニュースイッチ２２を押す度に、煮込み火力が、「標準」（おでんやロールキャベツ等）→「強め」（肉じゃがや筑前煮、量が多い時等）→「弱め」（味噌汁や量が少ない時等）と、サイクリックに切替わり、所望の煮込み火力を設定することができる。この「標準」、「強め」、「弱め」を選択して設定することによって、後述のように、火力を切替え制御するための第１，第２設定温度を変更設定することができる。
【００４０】
煮込み用のメニュースイッチ２２及びタイマースイッチ１８によって、煮込み調理モードを設定する調理モード設定手段が構成される。
【００４１】
ガスコンロ用調理設定入力部１７において、標準火力のガスコンロ部２ａによる調理の設定入力が行われると、制御部１１により予め設定された制御内容に基づいて、ガスコンロ部２ａにおける火力調整、調理時間等が制御される。この場合、鍋の底部の温度を温度センサ７ａにより検出して、該温度センサ７ａで検出した鍋の底部の温度を、制御部１１に入力してフィードバック制御により火力調整を行うようになっている。また、制御部１１は、タイマースイッチ１８によって設定されるタイマ時間を計測するタイマ計測部としての機能を有する。
【００４２】
各ガスコンロ部２ａ〜２ｃの使用に当たっては、手動により加熱を行う場合には、コンロ本体１の前面に露出している加熱状態調節部１２ａ〜１２ｃを直接指で操作して制御部１１に指令を与えて点火、火力調整、消火を行うと共に、標準火力のガスコンロ部２ａで自動調理を行う場合には、後述のように、主として制御部１１によりガス流量及び火力が調整される。
【００４３】
また、自動調理の終了、タイマ機能、あるいは、安全装置により異常が検知されることで、自動消火される場合があり、この場合には点火・消火操作部は器具栓をＯＮとする状態であっても安全弁により燃料ガスが遮断されて消火される。
【００４４】
この実施形態では、調理容器である鍋の材質によらず、上記煮込み用のメニュースイッチ２２を押圧操作して煮込み調理モードを設定したときには、自動で煮込み調理を行えるようにするものであるが、ここで、鍋の材質の相違による鍋の温度及び鍋内の加熱対象物の温度の変化について説明する。
【００４５】
図４は、熱伝動率が低く、熱容量が大きいステンレス（ＳＵＳ）製の多層鍋と、熱伝動率が高く、熱容量が小さいアルミ製の鍋とに、加熱対象物としての水をそれぞれ同量入れてガスコンロ部によって加熱したときの各鍋の底部の温度と、各鍋内の水温の変化を示す図であり、横軸が時間（秒）を、縦軸が温度（℃）をそれぞれ示している。各鍋の底部の温度は、ガスコンロ部に設けられているサーミスタからなる温度センサによって検出し、鍋の水温は、鍋に取付けた温度センサによって検出した。
【００４６】
この図４において、太い実線ＬSUSはステンレス製の多層鍋の底部の温度を、細い実線ＬAlはアルミ製の鍋の底部の温度をそれぞれ示し、太い破線ＬWSUSはステンレス製の多層鍋内の水温を、細い破線ＬWAlはアルミ製の鍋内の水温をそれぞれ示している。
【００４７】
加熱を開始すると、各鍋の底部の温度ＬSUS，ＬAl及び各鍋内の水温ＬWSUS，ＬWAlは、上昇し、アルミ製の鍋の底部の温度ＬAlに基づいて、後述のようにして、鍋内の水が沸騰状態となったことが検出される。この沸騰状態が検出された時点におけるアルミ製の鍋の底部の温度を沸騰温度ＴBAlとして示している。次に、ステンレス製の多層鍋の底部の温度ＬSUSに基づいて、同様にして沸騰状態が検出され、その時点のステンレス製の多層鍋の底部の温度を沸騰温度ＴBSUSとして示している。
【００４８】
更に、加熱を続けると、各鍋の底部ＬSUS，ＬAlの温度は安定し、先ず、アルミ製の鍋の底部の温度ＬAlに基づいて、後述のようにして平衡状態となったことが検出され、次に、ステンレス製の多層鍋の底部の温度ＬSUSに基づいて、同様にして平衡状態となったことが検出され、それぞれ各検出時点における各鍋の底部の温度ＬAl，ＬSUSが、平衡温度ＴαAl，ＴαSUSとして示されている。
【００４９】
なお、平衡状態を検出した後は、後述する、本実施形態の煮込み調理モードと同様の火力の切替え制御を行っている。
【００５０】
この図４に示すように、各鍋の底部の温度ＬSUS，ＬAlは、相違しており、沸騰状態を検出した時点の沸騰温度ＴBAl，ＴBSUS、及び、平衡状態を検出した時点の平衡温度ＴαAl，ＴαSUSも相違している。この例では、ステンレス製の多層鍋の平衡温度ＴαSUSは、１１０℃であり、アルミ製の鍋の平衡温度ＴαAlは、１０２℃である。
【００５１】
このように各鍋の底部の温度ＬSUS，ＬAlは、相違しているのに対して、破線で示される各鍋の水温ＬWSUS，ＬWAlは、昇温中は相違しているものの、平衡状態を検出した平衡温度ＴαAl，ＴαSUS付近では、略一致して１００℃となっている。すなわち、ステンレス製の多層鍋及びアルミ製の鍋のいずれの鍋も、その底部の温度ＬSUS，ＬAlに基づいて、平衡状態を検出した平衡温度ＴαSUS，ＴαAlの時点では、水温は、略同じ１００℃となっている。
【００５２】
そこで、この実施形態では、後述のように、鍋の底部の温度に基づいて、平衡状態を検出した後には、吹き零れを防止しつつ、軽い沸騰状態を維持するために、平衡状態を検出した時点の温度である平衡温度よりもやや低い第１，第２設定温度に基づいて、加熱を切替え制御し、鍋の底部の温度が、第１，第２設定温度に基づく温度範囲に制御するものである。
【００５３】
具体的には、平衡状態を検出した後には、火力を弱め、鍋の底部の温度が、平衡温度よりも低い第２設定温度まで下降すると、火力を強め、鍋の底部の温度が、第２設定温度よりも高く、かつ、平衡温度よりも低い第１設定温度まで上昇すると、再び火力を弱め、鍋の底部の温度が、第２設定温度まで下降すると、再び火力を強め、以下、第１，第２設定温度になる度に、火力を、弱め又は強めに切替え制御し、これによって、鍋の底部の温度を、平衡温度よりも低い第１，第２設定温度に基づく温度範囲に制御するものである。
【００５４】
この図４の例では、平衡温度ＴαAl，ＴαSUSが検出されると、その平衡温度ＴαAl，ＴαSUSよりも３℃低い温度を第１設定温度とし、この第１設定温度よりも１℃低い温度を第２設定温度としている。
【００５５】
したがって、平衡温度ＴαSUSが、１１０℃であるステンレス製の多層鍋の場合は、１０７℃（＝１１０−３）を第１設定温度、１０６℃（＝１０７−１）を第２設定温度としており、ステンレス製の鍋の底部の温度ＬSUSが、１０６℃まで下降すると、火力を強め、鍋の底部の温度ＬSUSが、１０７℃まで上昇すると、火力を弱め、以下、１０６℃，１０７℃になる度に、火力を、強め、または、弱めに切替え制御し、これによって、鍋の底部の温度ＬSUSが、平衡温度１１０℃より低い第１，第２設定温度１０７℃，１０６℃に基づく温度範囲に制御される。
【００５６】
同様に、平衡温度ＴαAlが、１０２℃であるアルミ製の鍋の場合は、９９℃（＝１０２−３）を第１設定温度、９８℃（＝９９−１）を第２設定温度としており、アルミ製の鍋の底部の温度ＬAlが、９８℃まで下降すると、火力を強め、鍋の底部の温度ＬAlが、９９℃まで上昇すると、火力を弱め、以下、９８℃，９９℃になる度に、火力を、強め又は弱めに切替え制御し、これによって、鍋の底部の温度ＬAlが、平衡温度１０２℃より低い第１，第２設定温度９９℃，９８℃に基づく温度範囲に制御される。
【００５７】
このように各鍋の底部の温度ＬSUS，ＬAlに基づいて、平衡状態を検出した後は、それぞれ各平衡温度ＴαSUS，ＴαAlに基づく第１，第２設定温度によって加熱が制御されるので、平衡温度ＴαSUS，ＴαAlを検出した後は、各鍋の底部の温度ＬSUS，ＬAlが、平衡温度よりも低い温度範囲に制御されることになる。これによって、図４に示すように、各鍋の水温ＬWSUS，ＬWAlは、約９００秒を経過した頃から略９８℃に維持されることが分かる。
【００５８】
上記第１設定温度は、吹き零れを防止する上では、平衡温度より低い方がよいが、あまり低いと、煮込むことができなくなるので、平衡温度と第１設定温度との温度差は、例えば、７℃以内、好ましくは５℃以内、より好ましくは３℃以内である。また、第１設定温度と第２設定温度との温度差は、例えば、５℃以内、好ましくは３℃以内、より好ましくは１℃以内である。ただし、上記温度は、鍋種及び調理内容によって変更されるべきものである。
【００５９】
以下、この実施形態の煮込み調理モードの制御について、図５に基づいて、説明する。
【００６０】
図５は、煮込み調理モードが設定されて、加熱が開始された後の鍋の底部の検出温度の変化及び火力を示すものであり、横軸が時間を、縦軸が温度を示している。また、鍋内の水温変化のイメージを細い実線で併せて示している。
【００６１】
先ず、煮込み調理モードが開始されると、温度センサ７ａで検出される鍋の底部の検出温度が、制御開始温度、例えば８０℃になるまでは、最初に使用者が加熱状態調節部１２ａを回動操作して設定した設定火力で加熱を行う。鍋の底部の検出温度が、８０℃になると、使用者によって設定された設定火力を、制御用の火力である第１の火力に切替える。この第１の火力は、上述の５段階の火力「１」〜「５」の内、中程度の火力である火力「３」としている。
【００６２】
この第１の火力である火力「３」による加熱を継続し、鍋の底部の検出温度に基づいて、鍋内の加熱対象物が沸騰状態となったことが検出されると、その検出時点ｔ１から上述のタイマースイッチ１８で設定されるタイマ時間の計測を開始する。沸騰状態を検出したときの鍋の底部の検出温度を、沸騰温度ＴBとして示している。
【００６３】
この実施形態では、沸騰状態の検出は、温度センサ７ａによる鍋の底部の検出温度が、所定温度、例えば１℃上昇するのに要する時間を計測し、その計測した時間が、所定時間、例えば４０秒を超えた時に沸騰状態として検出するようにしている。
【００６４】
沸騰状態が検出された後、更に、火力「３」での加熱を継続し、鍋の底部の検出温度に基づいて、検出温度が安定する平衡状態が検出されると、その検出時点ｔ２で第１の火力である火力「３」を、火力の弱い第２の火力に切替える。この第２の火力は、上述の５段階の火力「１」〜「５」の内、最も弱い火力である火力「１」としている。
【００６５】
この実施形態では、平衡状態の検出は、一定の判定期間毎、例えば３０秒毎に、その３０秒の判定期間の終了時点の鍋の底部の検出温度Ｔｅから開始時点の鍋の底部の検出温度Ｔｂを差し引いた温度差ΔＴ（＝Ｔｅ−Ｔｂ）が、所定温度範囲、例えば−２℃以上であって＋２℃以下の温度範囲（−２℃≦ΔＴ≦＋２℃）となったときに、平衡状態を検出したとして、その判定期間の終了時点の鍋の底部の検出温度Ｔｅを平衡温度Ｔαとしている。
【００６６】
この平衡状態の検出は、鍋の底部の検出温度が、上記制御開始温度である８０℃になった時点から開始され、例えば３０秒毎に平衡状態になったか否かが判定される。
【００６７】
なお、この平衡温度Ｔαは、判定期間の終了時点の鍋の底部の検出温度Ｔｅに代えて、判定期間の開始時点の鍋の底部の検出温度Ｔｂとしてもよい。特に、平衡温度の検出後に温度が略平坦となってからの検出温度は、風や供給ガス圧の変動など外乱の影響を受け、上昇や下降を繰り返すことから、判定期間の終了時点の検出温度Ｔｅを平衡温度Ｔαとしても開始時点の検出温度Ｔｂを平衡温度Ｔαとしてもよい。
【００６８】
平衡状態を検出した時点ｔ２で火力を、火力「３」から火力「１」へ弱めることによって、図５に示すように、鍋の底部の検出温度が下降し、平衡温度Ｔαよりも低い第２設定温度Ｔ２まで下降すると、その時点ｔ３で火力「１」を、この火力「１」よりも強く、かつ、火力「３」と同じか弱い第３の火力に切替える。この実施形態では、この第３の火力は、上述の第１の火力と同じ火力「３」としている。
【００６９】
このように第２設定温度Ｔ２になると、火力「３」に切替えて火力を強くするので、図５に示すように、鍋の底部の検出温度が再び上昇する。鍋の底部の検出温度が、平衡温度Ｔαよりも低く、かつ、第２設定温度Ｔ２よりも高い第１設定温度Ｔ１になると、その時点ｔ４で火力「３」を、弱い火力「１」に再び切替える。
【００７０】
以後は、同様にして、鍋の底部の検出温度が第２設定温度Ｔ２まで下降したら再び火力を火力「３」に切替え、第１設定温度Ｔ１まで上昇したら再び火力を火力「１」に切替え、鍋の底部の検出温度が、平衡温度Ｔαよりも低い第１，第２設定温度Ｔ１，Ｔ２に基づく温度範囲に制御される。
【００７１】
なお、火力を切替えた直後には、鍋の底部の検出温度が、第１設定温度Ｔ１を上回るオーバーシュートや第２設定温度Ｔ２を下回るアンダーシュートが生じるので、前記温度範囲は、第１，第２設定温度Ｔ１，Ｔ２を上下限とする温度範囲よりはやや広くなっている。
【００７２】
このように鍋の底部の検出温度が、平衡温度Ｔαよりも低い第１，第２設定温度Ｔ１，Ｔ２に基づく温度範囲に制御されている間に、沸騰温度の検出時点ｔ１から計測を開始したタイマ時間が、設定したタイマ時間になると、すなわち、タイムアップすると、ブザーによって報知し、ガスコンロ部２ａは自動消火して煮込み調理モードを終了する。使用者は、加熱状態調節部１２ａを押し込んで器具栓をＯＦＦにし、電源スイッチ１３を押して電源を切る。
【００７３】
この実施形態では、平衡温度Ｔαよりもａ℃低い第１設定温度Ｔ１（＝Ｔα−ａ）、及び、この第１設定温度Ｔ１よりもｂ℃低い第２設定温度Ｔ２（Ｔ２＝Ｔ１−ｂ）を、上述の煮込み用のメニュースイッチ２２の操作によって選択することができ、煮込み火力を「強め」、「標準」、「弱め」のいずれを選択するかに応じて次のように設定される。
【００７４】
すなわち、「強め」が選択された場合には、例えば、ａ℃＝１℃、ｂ℃＝１℃とし、「標準」が選択された場合には、例えば、ａ℃＝３℃、ｂ℃＝１℃とし、「弱め」が選択された場合には、例えば、ａ℃＝５℃、ｂ℃＝１℃とする。
【００７５】
例えば、平衡温度Ｔαが、例えば１０５℃であるとすると、「強め」が選択された場合には、第１設定温度Ｔ１は、１０４℃（＝１０５−１）となり、第２設定温度Ｔ２は、１０３℃（＝１０４−１）となる。この場合、鍋の底部の検出温度が、１０４℃になると、火力「３」を火力「１」に切替え、１０３℃になると、火力「１」を火力「３」に切替え、以下、同様にして、第１設定温度１０４℃または第２設定温度１０３℃になる度に火力が切替えられ、鍋の底部の検出温度が、平衡温度１０５℃より低い第１，第２設定温度１０４℃，１０３℃に基づく温度範囲に制御される。
【００７６】
また、「標準」が選択された場合には、第１設定温度Ｔ１は、１０２℃（＝１０５−３）となり、第２設定温度Ｔ２は、１０１℃（＝１０２−１）となる。この場合、鍋の底部の検出温度が、１０２℃になると、火力「３」を火力「１」に切替え、１０１℃になると、火力「１」を火力「３」に切替え、以下、同様にして、第１設定温度１０２℃または第２設定温度１０１℃になる度に火力が切替えられ、鍋の底部の検出温度が、平衡温度１０５℃より低い第１，第２設定温度１０２℃，１０１℃に基づく温度範囲に制御される。
【００７７】
更に、「弱め」が選択された場合には、第１設定温度Ｔ１は、１００℃（＝１０５−５）となり、第２設定温度Ｔ２は、９９℃（＝１００−１）となる。この場合、鍋の底部の検出温度が、１００℃になると、火力「３」を火力「１」に切替え、９９℃になると、火力「１」を火力「３」に切替え、以下、同様にして、第１設定温度１００℃または第２設定温度９９℃になる度に火力が切替えられ、鍋の底部の検出温度が、平衡温度１０５℃より低い第１，第２設定温度１００℃，９９℃に基づく温度範囲に制御される。
【００７８】
なお、図５では、「標準」が選択された場合の例を示している。
【００７９】
上述のように、鍋の底部の検出温度に基づいて、平衡状態が検出される平衡温度Ｔαでは、鍋の材質によらず、鍋内の加熱対象物は、略１００℃程度の温度となっているので、平衡状態を検出した後は、鍋の底部の検出温度を、平衡温度Ｔαより低い第１，第２設定温度に基づく温度範囲に制御することによって、鍋内の加熱対象物は、吹き零れることなく、軽い沸騰状態に維持されてクツクツと煮込まれることになり、従来のように、使用者が、吹き零れしないように監視しながら火力を手動で調節する必要がなく、煮込み調理を自動で行うことができる。
【００８０】
なお、煮込み調理モードの実行中に、使用者が、加熱状態調節部１２ａを押し込んで、ガスコンロ部２ａを消火するか、電源スイッチ１３を押して電源を切るか、あるいは、鍋の底部の検出温度が、焦げ付きを防止する安全機能として設定しているハイカット温度、例えば、１５０℃を超えた場合にも、ガスコンロ部２ａは自動消火して煮込み調理モードは中止される。
【００８１】
煮込み調理モードの実行中に、加熱対象物、例えば、具材、調味料や水を鍋に追加投入すると、鍋の底部の検出温度が下降するが、この実施形態では、鍋の検出温度が、所定温度であるリセット温度、例えば、７０℃まで下降するか否かによって、制御を異ならせている。
【００８２】
すなわち、煮込み調理モード実行中に、鍋に具材や調味料を追加投入し、鍋の検出温度が下降しても、リセット温度である７０℃まで下降しないときには、上述のようにして設定した第１，第２設定温度Ｔ１，Ｔ２による加熱制御を継続する。
【００８３】
例えば、味噌汁を作ろうとする場合は、煮込み用のメニュースイッチ２２を押して煮込み調理モードを設定すると共に、「弱め」の煮込み火力を設定し、加熱状態調節部１２ａを押し操作して、ガスコンロ部２ａを点火する。これによって、煮込み調理モードによる制御が開始され、平衡状態が検出されると、その検出時点の温度を平衡温度Ｔαとし、この平衡温度Ｔαに基づいて、上述のように設定される第１，第２設定温度Ｔ１，Ｔ２によって加熱を制御する。調理途中で、鍋の中に野菜などの具材や味噌を追加投入したとしても、図６に示すように、鍋の底部の検出温度が７０℃以下に下がらない場合は、その調理終了迄、一旦設定した、第１，第２設定温度Ｔ１，Ｔ２による加熱の制御を継続する。
【００８４】
一方、煮込み調理モード実行中に、鍋に水や多量の具材を追加して、鍋の底部の検出温度が、リセット温度である７０℃以下に下降した場合には、一旦設定した第１，第２設定温度による加熱の制御をクリアし、再度、平衡状態を検出し、その検出時点の平衡温度に基づいて、第１，第２設定温度を再設定し、再設定した第１，第２設定温度による加熱の制御を改めて実行する。
【００８５】
例えば、クリームシチューを作ろうとする場合は、じゃが芋や玉ねぎや、人参などの野菜を大きめに切り、鶏ガラスープか、水と調味料（コンソメキューブ等）と共に鍋に入れる。次、煮込み用のメニュースイッチ２２を押して、煮込み調理モードを設定すると共に、「強め」の煮込み火力を設定し、加熱状態調節部１２ａを押し操作して、ガスコンロ部２ａを点火する。これによって、煮込み調理モードによる制御が開始され、図７に示すように、平衡状態が検出されると、その検出時点ｔ２の温度を平衡温度Ｔαとし、設定された第１，第２設定温度Ｔ１，Ｔ２による加熱の制御が実行される。
【００８６】
煮込み調理モードの途中で、鍋の中に、クリームソース（バター、小麦粉、牛乳で作成）を追加し、鍋の底部の検出温度が、リセット温度である７０℃以下に下降した場合には、一旦設定した第１，第２設定温度Ｔ１，Ｔ２による加熱の制御は一旦クリアされ、再度、鍋の底部の検出温度が、制御開始温度である８０℃になるまで、使用者が加熱状態調節部１２ａを回動操作して設定した設定火力で、加熱し、その後、検出温度が８０℃に到達すると、上述のように火力「３」に切替えられ、再度、平衡状態が検出され、平衡状態を検出した時点ｔ７の鍋の底部の検出温度を平衡温度Ｔα´として第１，第２設定温度Ｔ１´，Ｔ２´を再設定し、再設定した第１，第２設定温度Ｔ１´，Ｔ２´による加熱の制御を実行する。
【００８７】
また、タイマ時間が設定されている場合には、鍋の底部の検出温度が、リセット温度である７０℃以下に下降すると、その時点ｔ５でタイマ時間の計測もクリアされ、再度、沸騰温度ＴB´を検出し、その検出時点ｔ６から改めて設定されているタイマ時間の計測を開始する。
【００８８】
（他の実施形態）
上述の実施形態では、標準火力のガスコンロ部２ａに適用して説明したが、高火力のガスコンロ部２ｂや小火力のガスコンロ部２ｃに適用することもできる。
【００８９】
上述の実施形態では、火力を５段階にしたが、５段階に限らず、任意であり、また、火力の切替えも火力「１」と火力「３」に限らない。
【００９０】
沸騰状態及び平衡状態の検出は、上述の実施形態に限らず、他の方法で検出してもよい。
【００９１】
上記実施形態では、ガスバーナによって調理容器を加熱したが、ガスバーナに限定されるものではなく、電気ヒータ、ＩＨヒータ等を用いるなどの種々の加熱調理器に適用可能である。
【００９２】
また、加熱調理器は必ずしもビルトインタイプに限られるものではなく、卓上型の加熱調理器であってもよい。
【符号の説明】
【００９３】
２ａ〜２ｃ        ガスコンロ部
３                グリル
7ａ〜７ｃ         温度センサ
１１              制御部
１２ａ〜１２ｃ    加熱状態調節部
１７              ガスコンロ用調理設定入力部
１８              タイマースイッチ
２２              煮込み調理用メニュースイッチ
【図１】
2014105961.tif 000003
【図２】
2014105961.tif 000004
【図３】
2014105961.tif 000005
【図４】
2014105961.tif 000006
【図５】
2014105961.tif 000007
【図６】
2014105961.tif 000008
【図７】
2014105961.tif 000009